(57)【要約】【課題】スキミング用磁気ヘッドに妨害磁界の影響をより効果的に与えることが可能なカードリーダを提供する。【解決手段】カードリーダ１では、妨害磁界発生手段１０は、カード２の厚さ方向でカード通過路６を挟むように配置される第１妨害磁界発生部１１と第２妨害磁界発生部１２とを備えている。第１妨害磁界発生部１１は、コア１４とコイル１５とを備え、第２妨害磁界発生部１２は、コア１６とコイル１７とを備えている。カードリーダ１では、カード２の幅方向から見たときに、コア１４の第１端面１４ａに垂直な第１仮想線Ｌ１とコア１６の第２端面１６ａに垂直な第２仮想線Ｌ１とが手前側（Ｘ２方向側）に向かうにしたがって互いに近づくように傾斜するとともに、カード挿入口３よりも手前側でかつカード２の厚さ方向においてカード２の通過位置からずれた位置で互いに交わるように、コア１４、１６が配置されている。【選択図】図１
2015158717.tif 000002
【特許請求の範囲】
【請求項１】
磁気ストライプを有するカードが挿入されるカード挿入口と、前記カード挿入口から挿入された前記カードが通過するカード通過路と、前記磁気ストライプに記録された磁気データの不正な読取を妨害するための妨害磁界を発生させる妨害磁界発生手段とを備え、
前記妨害磁界発生手段は、前記カードの厚さ方向において前記カード通過路を挟むように配置される第１妨害磁界発生部と第２妨害磁界発生部とからなる妨害磁界発生部組を少なくとも１組備え、
前記第１妨害磁界発生部は、磁性材料で形成される第１コアと、前記第１コアに巻回されるコイルとを備え、
前記第２妨害磁界発生部は、磁性材料で形成される第２コアと、前記第２コアに巻回されるコイルとを備え、
前記カードの通過方向の一方側である前記カード挿入口への前記カードの挿入方向側を奥側とし、前記カードの通過方向の他方側である前記カード挿入口からの前記カードの排出方向側を手前側とし、前記第１コアの一方の端面である第１端面の中心を通過するとともに前記第１端面に垂直な仮想線を第１仮想線とし、前記第２コアの一方の端面である第２端面の中心を通過するとともに前記第２端面に垂直な仮想線を第２仮想線とすると、
前記第１コアおよび前記第２コアは、前記カードの通過方向と前記カードの厚さ方向とに直交する前記カードの幅方向から見たときに、前記第１仮想線と前記第２仮想線とが手前側に向かうにしたがって互いに近づくように前記カードの通過方向に対して傾斜するとともに、前記カード挿入口よりも手前側でかつ前記カードの厚さ方向において前記カードの通過位置からずれた位置で互いに交わるように配置されていることを特徴とするカードリーダ。
【請求項２】
磁気ストライプを有するカードが挿入されるカード挿入口と、前記カード挿入口から挿入された前記カードが通過するカード通過路と、前記磁気ストライプに記録された磁気データの不正な読取を妨害するための妨害磁界を発生させる妨害磁界発生手段とを備え、
前記妨害磁界発生手段は、磁性材料で形成されるコアと、前記コアに巻回されるコイルとを備え、
前記カードの通過方向の一方側である前記カード挿入口への前記カードの挿入方向側を奥側とし、前記カードの通過方向の他方側である前記カード挿入口からの前記カードの排出方向側を手前側とし、前記コアの一方の端面である第１端面の中心を通過するとともに前記第１端面に垂直な仮想線を第１仮想線とし、前記コアの他方の端面である第２端面を通過するとともに前記第２端面に垂直な仮想線を第２仮想線とすると、
前記コアは、前記カードの通過方向において前記第１端面および前記第２端面が略手前側を向くように、かつ、前記カードの厚さ方向において前記第１端面と前記第２端面とが前記カード通過路を挟んで配置されるように形成されるとともに、前記カードの通過方向と前記カードの厚さ方向とに直交する前記カードの幅方向から見たときに、前記第１仮想線と前記第２仮想線とが手前側に向かうにしたがって互いに近づくように前記カードの通過方向に対して傾斜するとともに、前記カード挿入口よりも手前側でかつ前記カードの厚さ方向において前記カードの通過位置からずれた位置で互いに交わるように形成されていることを特徴とするカードリーダ。
【請求項３】
前記第１端面および前記第２端面は、前記カードの幅方向において、前記磁気ストライプが通過する位置に配置されていることを特徴とする請求項１または２記載のカードリーダ。
【請求項４】
前記磁気ストライプに記録された磁気データの読取および前記磁気ストライプへの磁気データの記録の少なくともいずれか一方を行う磁気ヘッドを備え、
前記カードの厚さ方向における一方側を第１方向側とし、前記カードの厚さ方向における他方側を第２方向側とすると、
前記磁気ヘッドは、前記第１方向側から前記カード通過路に臨むように配置され、
前記第１端面は、前記カードの厚さ方向において前記カード通過路よりも第１方向側に配置され、前記第２端面は、前記カードの厚さ方向において前記カード通過路よりも第２方向側に配置され、前記第１端面と前記第２端面とは、前記カードの通過方向において略同じ位置に配置され、前記カードの厚さ方向における前記第１端面と前記カード通過路との距離と、前記カードの厚さ方向における前記第２端面と前記カード通過路との距離とが略等しくなっており、
前記カードの幅方向から見たときに、前記カードの通過方向に対する前記第１仮想線の傾斜角度は、前記カードの通過方向に対する前記第２仮想線の傾斜角度よりも小さくなっていることを特徴とする請求項１から３のいずれかに記載のカードリーダ。
【請求項５】
前記妨害磁界発生手段が発生させる妨害磁界の周波数は、前記磁気ストライプに記録された磁気データの記録密度と前記カードリーダでの前記カードの移動速度とによって規定されるデータ周波数の帯域に含まれていることを特徴とする請求項１から４のいずれかに記載のカードリーダ。
【請求項６】
前記第１端面側から発生する妨害磁界の周波数と、前記第２端面側から発生する妨害磁界の周波数とが異なっていることを特徴とする請求項５記載のカードリーダ。
【請求項７】
前記カードの裏面に形成される前記磁気ストライプに記録された磁気データの読取および前記磁気ストライプへの磁気データの記録の少なくともいずれか一方を行う第１磁気ヘッドと、前記カードのおもて面に形成される前記磁気ストライプに記録された磁気データの読取および前記磁気ストライプへの磁気データの記録の少なくともいずれか一方を行う第２磁気ヘッドとを備え、
前記カードの厚さ方向における一方側を第１方向側とし、前記カードの厚さ方向における他方側を第２方向側とすると、
前記第１磁気ヘッドは、前記第１方向側から前記カード通過路に臨むように配置され、
前記第２磁気ヘッドは、前記第２方向側から前記カード通過路に臨むように配置され、
前記妨害磁界発生手段は、２組の前記妨害磁界発生部組を備え、
一方の前記妨害磁界発生部組の前記第１コアおよび前記第２コアは、前記カードの厚さ方向において前記カード通過路よりも前記第１方向側で前記第１仮想線と前記第２仮想線とが交わるように配置され、
他方の前記妨害磁界発生部組の前記第１コアおよび前記第２コアは、前記カードの厚さ方向において前記カード通過路よりも前記第２方向側で前記第１仮想線と前記第２仮想線とが交わるように配置され、
一方の前記妨害磁界発生部組が発生させる妨害磁界の周波数は、前記カードの裏面の前記磁気ストライプに記録された磁気データの記録密度と前記カードリーダでの前記カードの移動速度とによって規定されるデータ周波数の帯域に含まれ、
他方の前記妨害磁界発生部組が発生させる妨害磁界の周波数は、前記カードのおもて面の前記磁気ストライプに記録された磁気データの記録密度と前記カードリーダでの前記カードの移動速度とによって規定されるデータ周波数の帯域に含まれていることを特徴とする請求項１記載のカードリーダ。
【請求項８】
前記カードの裏面に形成される前記磁気ストライプに記録された磁気データの読取および前記磁気ストライプへの磁気データの記録の少なくともいずれか一方を行う第１磁気ヘッドと、前記カードのおもて面に形成される前記磁気ストライプに記録された磁気データの読取および前記磁気ストライプへの磁気データの記録の少なくともいずれか一方を行う第２磁気ヘッドとを備え、
前記カードの厚さ方向における一方側を第１方向側とし、前記カードの厚さ方向における他方側を第２方向側とすると、
前記第１磁気ヘッドは、前記第１方向側から前記カード通過路に臨むように配置され、
前記第２磁気ヘッドは、前記第２方向側から前記カード通過路に臨むように配置され、
前記妨害磁界発生手段は、前記コアと前記コイルとを有する第１妨害磁界発生部と、前記コアと前記コイルとを有する第２妨害磁界発生部とを備え、
前記第１妨害磁界発生部の前記コアは、前記カードの厚さ方向において前記カード通過路よりも前記第１方向側で前記第１仮想線と前記第２仮想線とが交わるように配置され、
前記第２妨害磁界発生部の前記コアは、前記カードの厚さ方向において前記カード通過路よりも前記第２方向側で前記第１仮想線と前記第２仮想線とが交わるように配置され、
前記第１妨害磁界発生部が発生させる妨害磁界の周波数は、前記カードの裏面の前記磁気ストライプに記録された磁気データの記録密度と前記カードリーダでの前記カードの移動速度とによって規定されるデータ周波数の帯域に含まれ、
前記第２妨害磁界発生部が発生させる妨害磁界の周波数は、前記カードのおもて面の前記磁気ストライプに記録された磁気データの記録密度と前記カードリーダでの前記カードの移動速度とによって規定されるデータ周波数の帯域に含まれていることを特徴とする請求項２記載のカードリーダ。
【請求項９】
前記コイルに電流を供給する駆動回路を備え、
前記駆動回路は、前記コイルが接続される直流電源と、前記直流電源に対して前記コイルと並列に接続されるコンデンサとを備え、
前記コイルと前記コンデンサとによって共振回路が構成されていることを特徴とする請求項１から８のいずれかに記載のカードリーダ。
【発明の詳細な説明】
【技術分野】
【０００１】
本発明は、カードに記録された磁気データの読取やカードへの磁気データの記録を行うカードリーダに関する。
【背景技術】
【０００２】
従来、カードに記録された磁気データの読取やカードへの磁気データの記録を行うカードリーダが広く利用されている。カードリーダが利用される金融機関等の業界では、従来、犯罪者がカードリーダのカード挿入部に磁気ヘッドを取り付けて、この磁気ヘッドでカードの磁気データを不正に取得するいわゆるスキミングが大きな問題となっている。そこで、スキミング用の磁気ヘッド（以下、「スキミング用磁気ヘッド」とする。）での磁気データの読取を阻止するための妨害磁界発生部を備えるカードリーダが提案されている（たとえば、特許文献１参照）。
【０００３】
特許文献１に記載のカードリーダでは、妨害磁界発生部は、図６に示すように、妨害磁界を放射する２個の放射源１０１、１０２を備えている。放射源１０１、１０２は、カード１０３の搬送路１０４を上下方向で挟むように配置されている。また、放射源１０１、１０２は、磁性材料で形成されるコア１０５と、コア１０５に巻回されるコイル１０６とを備えている。コア１０５は、全体として略有底円筒状に形成されるとともに、底部から円筒部の開口側に向かって立ち上がる円柱状の巻芯１０５ａを備えている。コイル１０６は、巻芯１０５ａに巻回されている。放射源１０１、１０２は、図６に示すように、カード１０３の幅方向から見たときに、巻芯１０５ａの端面に垂直な仮想線Ｌ１０１、Ｌ１０２がカード１０３の通過方向に対して傾斜し、かつ、カード１０３の挿入口１０７よりも手前側で交差するように配置されている。また、放射源１０１、１０２は、仮想線Ｌ１０１、Ｌ１０２がカード１０３の厚さ方向においてカード１０３が通過する位置で交差するように配置されている。
【０００４】
また、一般に、磁気ヘッドは、図７に示すように、磁性材料で形成されるコア１１１と、コア１１１に巻回されるコイル１１２と、コイル１１２の両端部が接続される端子１１３と、コア１１１、コイル１１２および端子１１３が収容されるケース体１１４とを備えている。ケース体１１４は、磁性材料で形成されている。この磁気ヘッドの一端（先端）では、コア１１１に磁気ギャップ１１１ａが形成され、コイル１１２は、磁気ヘッドの他端側（基端側）でコア１１１に巻回されている。また、磁気ヘッドの先端側では、磁気ギャップ１１１ａを露出させるための開口部１１４ａがケース体１１４に形成されている。一方、磁気ヘッドの基端側では、ケース体１１４は開口している。
【０００５】
スキミング用磁気ヘッドも、図７に示す磁気ヘッドと同様に構成されており、図６に示すように、スキミング用磁気ヘッド１１０は、磁気ギャップがカード１０３の磁気ストライプに接触するように設置される。すなわち、スキミング用磁気ヘッド１１０は、スキミング用磁気ヘッド１１０の先端側がカード１０３側に配置されるように設置される。上述のように、特許文献１に記載のカードリーダでは、カード１０３の幅方向から見たときに、仮想線Ｌ１０１、Ｌ１０２がカード１０３の挿入口１０７よりも手前側でかつカード１０３の厚さ方向においてカード１０３が通過する位置で交差するように、放射源１０１、１０２が配置されている。そのため、このカードリーダでは、スキミング用磁気ヘッド１１０の磁気ギャップに対して、妨害磁界の影響を効率的に与えることが可能である。
【先行技術文献】
【特許文献】
【０００６】
【特許文献１】特開２００７−１６４５３３号公報
【発明の概要】
【発明が解決しようとする課題】
【０００７】
スキミング用磁気ヘッドによる磁気データの読取を阻止するためには、スキミング用磁気ヘッドに妨害磁界の影響を効果的に与えることが好ましい。そこで、本発明の課題は、スキミング用磁気ヘッドに妨害磁界の影響をより効果的に与えることが可能なカードリーダを提供することにある。
【課題を解決するための手段】
【０００８】
上記の課題を解決するため、本発明のカードリーダは、磁気ストライプを有するカードが挿入されるカード挿入口と、カード挿入口から挿入されたカードが通過するカード通過路と、磁気ストライプに記録された磁気データの不正な読取を妨害するための妨害磁界を発生させる妨害磁界発生手段とを備え、妨害磁界発生手段は、カードの厚さ方向においてカード通過路を挟むように配置される第１妨害磁界発生部と第２妨害磁界発生部とからなる妨害磁界発生部組を少なくとも１組備え、第１妨害磁界発生部は、磁性材料で形成される第１コアと、第１コアに巻回されるコイルとを備え、第２妨害磁界発生部は、磁性材料で形成される第２コアと、第２コアに巻回されるコイルとを備え、カードの通過方向の一方側であるカード挿入口へのカードの挿入方向側を奥側とし、カードの通過方向の他方側であるカード挿入口からのカードの排出方向側を手前側とし、第１コアの一方の端面である第１端面の中心を通過するとともに第１端面に垂直な仮想線を第１仮想線とし、第２コアの一方の端面である第２端面の中心を通過するとともに第２端面に垂直な仮想線を第２仮想線とすると、第１コアおよび第２コアは、カードの通過方向とカードの厚さ方向とに直交するカードの幅方向から見たときに、第１仮想線と第２仮想線とが手前側に向かうにしたがって互いに近づくようにカードの通過方向に対して傾斜するとともに、カード挿入口よりも手前側でかつカードの厚さ方向においてカードの通過位置からずれた位置で互いに交わるように配置されていることを特徴とする。
【０００９】
本発明のカードリーダでは、妨害磁界発生手段は、カードの厚さ方向においてカード通過路を挟むように配置される第１妨害磁界発生部と第２妨害磁界発生部とからなる妨害磁界発生部組を備えている。また、第１妨害磁界発生部は、第１コアと、第１コアに巻回されるコイルとを備え、第２妨害磁界発生部は、第２コアと、第２コアに巻回されるコイルとを備えている。さらに、カードの通過方向とカードの厚さ方向とに直交するカードの幅方向から見たときに、第１コアの第１端面に垂直な第１仮想線と第２コアの第２端面に垂直な第２仮想線とが手前側に向かうにしたがって互いに近づくようにカードの通過方向に対して傾斜するとともに、カード挿入口よりも手前側でかつカードの厚さ方向においてカードの通過位置からずれた位置で互いに交わるように、第１コアおよび第２コアが配置されている。
【００１０】
そのため、本発明では、カード挿入口よりも手前側に配置されるスキミング用磁気ヘッドの磁気ギャップに対して、第１妨害磁界発生部および第２妨害磁界発生部のいずれか一方が発生させる妨害磁界の影響を効率的に与えることが可能になる。また、本発明では、スキミング用磁気ヘッドのケース体の開口部に対して、第１妨害磁界発生部および第２妨害磁界発生部のいずれか他方が発生させる妨害磁界の影響を効率的に与えることが可能になる。すなわち、磁性材料によって覆われていないスキミング用磁気ヘッドのコアやコイルに、ケース体の開口部を介して妨害磁界の影響を効率的に与えることが可能になる。このように、本発明では、スキミング用磁気ヘッドの磁気ギャップに対して妨害磁界の影響を効率的に与えることが可能になるとともに、磁性材料によって覆われていないスキミング用磁気ヘッドのコアやコイルに妨害磁界の影響を効率的に与えることが可能になる。したがって、本発明では、スキミング用磁気ヘッドに妨害磁界の影響をより効果的に与えることが可能になる。
【００１１】
また、上記の課題を解決するため、本発明のカードリーダは、磁気ストライプを有するカードが挿入されるカード挿入口と、カード挿入口から挿入されたカードが通過するカード通過路と、磁気ストライプに記録された磁気データの不正な読取を妨害するための妨害磁界を発生させる妨害磁界発生手段とを備え、妨害磁界発生手段は、磁性材料で形成されるコアと、コアに巻回されるコイルとを備え、カードの通過方向の一方側であるカード挿入口へのカードの挿入方向側を奥側とし、カードの通過方向の他方側であるカード挿入口からのカードの排出方向側を手前側とし、コアの一方の端面である第１端面の中心を通過するとともに第１端面に垂直な仮想線を第１仮想線とし、コアの他方の端面である第２端面を通過するとともに第２端面に垂直な仮想線を第２仮想線とすると、コアは、カードの通過方向において第１端面および第２端面が略手前側を向くように、かつ、カードの厚さ方向において第１端面と第２端面とがカード通過路を挟んで配置されるように形成されるとともに、カードの通過方向とカードの厚さ方向とに直交するカードの幅方向から見たときに、第１仮想線と第２仮想線とが手前側に向かうにしたがって互いに近づくようにカードの通過方向に対して傾斜するとともに、カード挿入口よりも手前側でかつカードの厚さ方向においてカードの通過位置からずれた位置で互いに交わるように形成されていることを特徴とする。
【００１２】
本発明のカードリーダでは、妨害磁界発生手段は、コアと、コアに巻回されるコイルとを備えており、コアは、コアの一方の端面である第１端面とコアの他方の端面である第２端面とがカードの通過方向において手前側を向くように、かつ、カードの厚さ方向において第１端面と第２端面とがカード通過路を挟んで配置されるように形成されている。また、カードの幅方向から見たときに、第１仮想線と第２仮想線とが手前側に向かうにしたがって互いに近づくようにカードの通過方向に対して傾斜するとともに、カード挿入口よりも手前側でかつカードの厚さ方向においてカードの通過位置からずれた位置で互いに交わるように、コアが形成されている。
【００１３】
そのため、本発明では、第１端面側および第２端面側のいずれか一方側から発生する妨害磁界の影響を、カード挿入口よりも手前側に配置されるスキミング用磁気ヘッドの磁気ギャップに対して効率的に与えることが可能になる。また、本発明では、第１端面側および第２端面側のいずれか他方側から発生する妨害磁界の影響を、スキミング用磁気ヘッドのケース体の開口部に対して効率的に与えることが可能になる。すなわち、磁性材料によって覆われていないスキミング用磁気ヘッドのコアやコイルに、ケース体の開口部を介して妨害磁界の影響を効率的に与えることが可能になる。このように、本発明では、スキミング用磁気ヘッドの磁気ギャップに対して妨害磁界の影響を効率的に与えることが可能になるとともに、磁性材料によって覆われていないスキミング用磁気ヘッドのコアやコイルに妨害磁界の影響を効率的に与えることが可能になる。したがって、本発明では、スキミング用磁気ヘッドに妨害磁界の影響をより効果的に与えることが可能になる。
【００１４】
本発明において、第１端面および第２端面は、カードの幅方向において、磁気ストライプが通過する位置に配置されていることが好ましい。カードの幅方向において、スキミング用磁気ヘッドは、磁気ストライプが通過する位置に配置されるため、このように構成すると、スキミング用磁気ヘッドに妨害磁界の影響をより効果的に与えることが可能になる。
【００１５】
本発明において、カードリーダは、磁気ストライプに記録された磁気データの読取および磁気ストライプへの磁気データの記録の少なくともいずれか一方を行う磁気ヘッドを備え、カードの厚さ方向における一方側を第１方向側とし、カードの厚さ方向における他方側を第２方向側とすると、磁気ヘッドは、第１方向側からカード通過路に臨むように配置され、第１端面は、カードの厚さ方向においてカード通過路よりも第１方向側に配置され、第２端面は、カードの厚さ方向においてカード通過路よりも第２方向側に配置され、第１端面と第２端面とは、カードの通過方向において略同じ位置に配置され、カードの厚さ方向における第１端面とカード通過路との距離と、カードの厚さ方向における第２端面とカード通過路との距離とが略等しくなっており、カードの幅方向から見たときに、カードの通過方向に対する第１仮想線の傾斜角度は、カードの通過方向に対する第２仮想線の傾斜角度よりも小さくなっていることが好ましい。このように構成すると、第１端面と第２端面とがカードの通過方向において略同じ位置に配置され、カードの厚さ方向における第１端面とカード通過路との距離とカードの厚さ方向における第２端面とカード通過路との距離とが略等しくなっているため、スキミング用磁気ヘッドの磁気ギャップおよび磁性材料によって覆われていないスキミング用磁気ヘッドのコアやコイルに対して妨害磁界の影響を効率的に与えることが可能であっても、カードの通過方向およびカードの厚さ方向でカードリーダを小型化することが可能になる。
【００１６】
本発明において、妨害磁界発生手段が発生させる妨害磁界の周波数は、磁気ストライプに記録された磁気データの記録密度とカードリーダでのカードの移動速度とによって規定されるデータ周波数の帯域に含まれていることが好ましい。このように構成すると、スキミング用磁気ヘッドから出力される読取信号の中で、カードの磁気データに起因する読取信号と、妨害磁界に起因する読取信号とを区別しにくくなる。したがって、スキミングを効果的に防止することが可能になる。
【００１７】
また、この場合には、第１端面側から発生する妨害磁界の周波数と、第２端面側から発生する妨害磁界の周波数とが異なっていることが好ましい。このように構成すると、スキミング用磁気ヘッドから出力される読取信号の中で、カードの磁気データに起因する読取信号と妨害磁界に起因する読取信号とを区別することがより困難になる。したがって、スキミングをより効果的に防止することが可能になる。
【００１８】
本発明において、カードリーダは、カードの裏面に形成される磁気ストライプに記録された磁気データの読取および磁気ストライプへの磁気データの記録の少なくともいずれか一方を行う第１磁気ヘッドと、カードのおもて面に形成される磁気ストライプに記録された磁気データの読取および磁気ストライプへの磁気データの記録の少なくともいずれか一方を行う第２磁気ヘッドとを備え、カードの厚さ方向における一方側を第１方向側とし、カードの厚さ方向における他方側を第２方向側とすると、第１磁気ヘッドは、第１方向側からカード通過路に臨むように配置され、第２磁気ヘッドは、第２方向側からカード通過路に臨むように配置され、妨害磁界発生手段は、２組の妨害磁界発生部組を備え、一方の妨害磁界発生部組の第１コアおよび第２コアは、カードの厚さ方向においてカード通過路よりも第１方向側で第１仮想線と第２仮想線とが交わるように配置され、他方の妨害磁界発生部組の第１コアおよび第２コアは、カードの厚さ方向においてカード通過路よりも第２方向側で第１仮想線と第２仮想線とが交わるように配置され、一方の妨害磁界発生部組が発生させる妨害磁界の周波数は、カードの裏面の磁気ストライプに記録された磁気データの記録密度とカードリーダでのカードの移動速度とによって規定されるデータ周波数の帯域に含まれ、他方の妨害磁界発生部組が発生させる妨害磁界の周波数は、カードのおもて面の磁気ストライプに記録された磁気データの記録密度とカードリーダでのカードの移動速度とによって規定されるデータ周波数の帯域に含まれていることが好ましい。
【００１９】
また、本発明において、カードリーダは、カードの裏面に形成される磁気ストライプに記録された磁気データの読取および磁気ストライプへの磁気データの記録の少なくともいずれか一方を行う第１磁気ヘッドと、カードのおもて面に形成される磁気ストライプに記録された磁気データの読取および磁気ストライプへの磁気データの記録の少なくともいずれか一方を行う第２磁気ヘッドとを備え、カードの厚さ方向における一方側を第１方向側とし、カードの厚さ方向における他方側を第２方向側とすると、第１磁気ヘッドは、第１方向側からカード通過路に臨むように配置され、第２磁気ヘッドは、第２方向側からカード通過路に臨むように配置され、妨害磁界発生手段は、コアとコイルとを有する第１妨害磁界発生部と、コアとコイルとを有する第２妨害磁界発生部とを備え、第１妨害磁界発生部のコアは、カードの厚さ方向においてカード通過路よりも第１方向側で第１仮想線と第２仮想線とが交わるように配置され、第２妨害磁界発生部のコアは、カードの厚さ方向においてカード通過路よりも第２方向側で第１仮想線と第２仮想線とが交わるように配置され、第１妨害磁界発生部が発生させる妨害磁界の周波数は、カードの裏面の磁気ストライプに記録された磁気データの記録密度とカードリーダでのカードの移動速度とによって規定されるデータ周波数の帯域に含まれ、第２妨害磁界発生部が発生させる妨害磁界の周波数は、カードのおもて面の磁気ストライプに記録された磁気データの記録密度とカードリーダでのカードの移動速度とによって規定されるデータ周波数の帯域に含まれていることが好ましい。
【００２０】
このように構成すると、カードの裏面の磁気ストライプに記録された磁気データを不正に取得するスキミング用磁気ヘッドと、カードのおもて面の磁気ストライプに記録された磁気データを不正に取得するスキミング用磁気ヘッドとが設置された場合であっても、両方のスキミング用磁気ヘッドに妨害磁界の影響をより効果的に与えることが可能になる。また、このように構成すると、両方のスキミング用磁気ヘッドから出力される読取信号の中で、カードの磁気データに起因する読取信号と、妨害磁界に起因する読取信号とを区別しにくくなるため、スキミングを効果的に防止することが可能になる。
【００２１】
本発明において、カードリーダは、コイルに電流を供給する駆動回路を備え、駆動回路は、コイルが接続される直流電源と、直流電源に対してコイルと並列に接続されるコンデンサとを備え、コイルとコンデンサとによって共振回路が構成されていることが好ましい。このように構成すると、消費電力を抑制しつつ、妨害磁界発生手段によって所定の周波数の交流磁界を発生させることが可能になる。
【発明の効果】
【００２２】
以上のように、本発明のカードリーダでは、スキミング用磁気ヘッドに妨害磁界の影響をより効果的に与えることが可能になる。
【図面の簡単な説明】
【００２３】
【図１】本発明の実施の形態にかかるカードリーダの前端側部分の構成を説明するための概略図である。
【図２】図１に示すコイルに電流を供給する駆動回路の概略回路図である。
【図３】本発明の他の実施の形態にかかる妨害磁界発生手段を説明するための概略図である。
【図４】本発明の他の実施の形態にかかる妨害磁界発生手段を説明するための概略図である。
【図５】本発明の他の実施の形態にかかる妨害磁界発生手段を説明するための概略図である。
【図６】従来技術にかかる妨害磁界発生部の構成を説明するための概略図である。
【図７】一般的な磁気ヘッドの内部構造を説明するための断面図である。
【発明を実施するための形態】
【００２４】
以下、図面を参照しながら、本発明の実施の形態を説明する。
【００２５】
（カードリーダの構成）
図１は、本発明の実施の形態にかかるカードリーダ１の前端側部分の構成を説明するための概略図である。図２は、図１に示すコイル１５に電流を供給する駆動回路２０の概略回路図である。
【００２６】
本形態のカードリーダ１は、カード２に記録された磁気データの読取やカード２への磁気データの記録を行うための装置であり、たとえば、ＡＴＭ等の所定の上位装置に搭載されて使用される。このカードリーダ１は、カード２が挿入されるカード挿入口３が形成されるカード挿入部４と、本体部５とを備えている。カードリーダ１の内部には、カード挿入口３から挿入されたカード２が通過するカード通過路６が形成されている。また、カードリーダ１は、カード２に記録された磁気データの読取およびカード２への磁気データの記録の少なくともいずれか一方を行う磁気ヘッド７と、カード２を搬送するための駆動ローラ８およびパッドローラ９と、カード２に記録された磁気データの不正な読取を妨害するための妨害磁界を発生させる妨害磁界発生手段１０とを備えている。
【００２７】
本形態では、図１に示すＸ方向でカード２が通過する。具体的には、Ｘ１方向にカード２が挿入され、Ｘ２方向にカード２が排出される。すなわち、Ｘ方向は、カード２の通過方向であり、Ｘ１方向は、カード２の通過方向の一方であるカード挿入口３へのカード２の挿入方向であり、Ｘ２方向は、カード２の通過方向の他方であるカード挿入口３からのカード２の排出方向である。また、Ｘ方向に直交する図１のＺ方向は、カードリーダ１に取り込まれたカード２の厚さ方向であり、Ｘ方向とＺ方向とに直交する図１のＹ方向は、カードリーダ１に取り込まれたカード２の幅方向である。以下の説明では、Ｘ方向を「前後方向」、Ｙ方向を「左右方向」、Ｚ方向を「上下方向」とする。また、Ｘ１方向側を「奥（後ろ）」側、Ｘ２方向側を「手前（前）」側、Ｚ１方向側を「上」側、Ｚ２方向側を「下」側とする。本形態では、下側（Ｚ２方向側）は、カード２の厚さ方向における一方側である第１方向側となっており、上側（Ｚ１方向側）は、カード２の厚さ方向における他方側である第２方向側となっている。
【００２８】
カード２は、たとえば、厚さが０．７〜０．８ｍｍ程度の略長方形状の塩化ビニール製のカードである。このカード２の裏面には、磁気データが記録される磁気ストライプが形成されている。磁気ストライプは、略長方形状に形成されるカード２の長手方向に沿って形成されている。カード２は、その裏面が下側を向いた状態で、かつ、カード２の長手方向が前後方向と略一致した状態で、カードリーダ１に挿入されて、カードリーダ１内で搬送される。なお、カード２には、ＩＣチップや通信用のアンテナがカード２に内蔵されても良い。また、カード２は、厚さが０．１８〜０．３６ｍｍ程度のＰＥＴ（ポリエチレンテレフタレート）カードであっても良いし、所定の厚さの紙カード等であっても良い。
【００２９】
カード挿入部４は、本体部５の前端面に取り付けられている。磁気ヘッド７、駆動ローラ８およびパッドローラ９は、本体部５の内部に配置されている。磁気ヘッド７は、カード通過路（カード搬送路）６に下側から臨むように配置されている。具体的には、磁気ヘッド７は、そのギャップ部がカード通過路６に下側から臨むように配置されている。また、磁気ヘッド７は、左右方向において、カード２の磁気ストライプが通過する位置に配置されている。駆動ローラ８とパッドローラ９とは、上下方向でカード通過路６を挟むように配置されている。駆動ローラ８には、ベルトやプーリ等の動力伝達機構を介してモータが連結されている。パッドローラ９は、駆動ローラ８に向かって付勢されている。カード２は、駆動ローラ８とパッドローラ９との間に挟まれた状態で搬送される。
【００３０】
妨害磁界発生手段１０は、カード挿入部４の内部に配置されている。この妨害磁界発生手段１０は、上下方向においてカード通過路６を挟むように配置される第１妨害磁界発生部１１と第２妨害磁界発生部１２とからなる妨害磁界発生部組１３を１組備えている。第１妨害磁界発生部１１は、磁性材料で形成される第１コアとしてのコア１４と、コア１４に巻回される励磁用のコイル１５とを備えている。第２妨害磁界発生部１２は、磁性材料で形成される第２コアとしてのコア１６と、コア１６に巻回される励磁用のコイル１７とを備えている。第１妨害磁界発生部１１は、カード通過路６よりも下側に配置され、第２妨害磁界発生部１２は、カード通過路６よりも上側に配置されている。
【００３１】
コア１４、１６は、略四角柱状あるいは略円柱状等の棒状に形成されている。また、コア１４、１６は、略同形状となるように形成されている。このコア１４、１６は、一端面１４ａ、１６ａが略手前側を向き、他端面１４ｂ、１６ｂが略奥側を向くように配置されている。上述のように、第１妨害磁界発生部１１は、カード通過路６よりも下側に配置され、第２妨害磁界発生部１２は、カード通過路６よりも上側に配置されており、コア１４は、カード通過路６よりも下側に配置され、コア１６は、カード通過路６よりも上側に配置されている。すなわち、一端面１４ａは、上下方向においてカード通過路６よりも下側に配置され、一端面１６ａは、上下方向においてカード通過路６よりも上側に配置されている。
【００３２】
また、コア１４、１６は、左右方向において、磁気ヘッド７と同じ位置に配置されている。すなわち、コア１４、１６は、左右方向において、カード２の磁気ストライプが通過する位置に配置されており、一端面１４ａ、１６ａは、左右方向において、カード２の磁気ストライプが通過する位置に配置されている。また、コア１４、１６は、前後方向において略同じ位置に配置されており、一端面１４ａと一端面１６ａとは、前後方向において略同じ位置に配置されている。さらに、上下方向における一端面１４ａとカード通過路６との距離と、上下方向における一端面１６ａとカード通過路６との距離とが略等しくなるように、コア１４、１６が配置されている。
【００３３】
また、コア１４の一端面１４ａの中心を通過するとともに一端面１４ａに垂直な仮想線を第１仮想線Ｌ１とし、コア１６の一端面１６ａの中心を通過するとともに一端面１６ａに垂直な仮想線を第２仮想線Ｌ２とすると、左右方向から見たときに、第１仮想線Ｌ１と第２仮想線Ｌ２とが手前側に向かうにしたがって互いに近づくように前後方向に対して傾斜するとともに、カード挿入口３よりも手前側でかつ上下方向においてカード２が通過する位置からずれた位置で互いに交わるように、コア１４、１６が配置されている。すなわち、棒状に形成されるコア１４、１６は、左右方向から見たときに、前後方向に対して異なる角度で傾くように配置されている。
【００３４】
本形態では、左右方向から見たときに、前後方向に対する第１仮想線Ｌ１の傾斜角度θ１は、前後方向に対する第２仮想線Ｌ２の傾斜角度θ２よりも小さくなっており、第１仮想線Ｌ１と第２仮想線Ｌ２とは、カード通過路６よりも下側で交わっている。本形態の一端面１４ａは、コア１４の一方の端面である第１端面となっており、一端面１６ａは、コアの１６一方の端面である第２端面となっている。なお、本形態では、第１仮想線Ｌ１は、コア１４の中心軸と一致しており、他端面１４ｂの中心を通過するとともに、他端面１４ｂに直交している。同様に、第２仮想線Ｌ２は、コア１６の中心軸と一致しており、他端面１６ｂの中心を通過するとともに、他端面１６ｂに直交している。
【００３５】
コイル１５は、ボビンを介してコア１４に巻回されている。具体的には、コイル１５は、コア１４の中心軸が巻回の軸となるようにコア１４の外周面に巻回されている。このコイル１５は、コイル１５に電流を供給する駆動回路２０に接続されている。駆動回路２０は、図２に示すように、コイル１５が接続される直流電源２１と、直流電源２１に対してコイル１５と並列に接続されるコンデンサ２２とを備えており、コイル１５とコンデンサ２２とによって共振回路が構成されている。コイル１５およびコンデンサ２２の一端は、ダイオード２３を介して直流電源２１に接続され、コイル１５およびコンデンサ２２の他端は、トランジスタ２４を介して接地されている。
【００３６】
駆動回路２０では、トランジスタ２４のベースに駆動用の電流が供給されると、直流電源２１からコイル１５およびコンデンサ２２に電力が供給されて、コイル１５に電流が流れ、コンデンサ２２に電荷が蓄えられる。その状態で、トランジスタ２４のベースへの電流の供給が停止されると、所定の共振周波数で変動する電流がコイル１５に流れ、この共振周波数で変動する妨害磁界（交流磁界）が第１妨害磁界発生部１１から発生する。
【００３７】
コイル１５と同様に、コイル１７は、ボビンを介してコア１６に巻回されている。具体的には、コイル１７は、コア１６の中心軸が巻回の軸となるようにコア１６の外周面に巻回されている。また、コイル１７は、駆動回路２０と同様に構成される駆動回路に接続されており、コイル１７には、所定の共振周波数で変動する電流が流れる。コイル１７に所定の共振周波数で変動する電流が流れると、この共振周波数で変動する妨害磁界（交流磁界）が第２妨害磁界発生部１２から発生する。
【００３８】
第１妨害磁界発生部１１および第２妨害磁界発生部１２が発生させる妨害磁界の周波数は、カード２の磁気ストライプに記録された磁気データの記録密度とカードリーダ１でのカード２の移動速度とによって規定されるデータ周波数の帯域に含まれている。本形態では、国際規格やＪＩＳ規格に基づいて、カード２の裏面の磁気ストライプに、記録密度が２１０ｂｐｉ（ｂｉｔ  ｐｅｒ  ｉｎｃｈ）の磁気データおよび記録密度が７５ｂｐｉの磁気データが記録されており、第１妨害磁界発生部１１および第２妨害磁界発生部１２が発生させる妨害磁界の周波数は、２１０ｂｐｉの記録密度とカードリーダ１でのカード２の移動速度とによって規定されるデータ周波数の帯域、または、７５ｂｐｉの記録密度とカードリーダ１でのカード２の移動速度とによって規定されるデータ周波数の帯域に含まれている。
【００３９】
具体的には、第１妨害磁界発生部１１および第２妨害磁界発生部１２のいずれか一方が発生させる妨害磁界の周波数は、２１０ｂｐｉの記録密度とカードリーダ１でのカード２の移動速度とによって規定されるデータ周波数の帯域に含まれており、第１妨害磁界発生部１１および第２妨害磁界発生部１２のいずれか他方が発生させる妨害磁界の周波数は、７５ｂｐｉの記録密度とカードリーダ１でのカード２の移動速度とによって規定されるデータ周波数の帯域に含まれている。すなわち、一端面１４ａ側から発生する妨害磁界の周波数と、一端面１６ａ側から発生する妨害磁界の周波数とが異なっている。なお、第１妨害磁界発生部１１が発生させる妨害磁界の周波数および第２妨害磁界発生部１２が発生させる妨害磁界の周波数がともに、２１０ｂｐｉの記録密度とカードリーダ１でのカード２の移動速度とによって規定されるデータ周波数の帯域に含まれていても良いし、７５ｂｐｉの記録密度とカードリーダ１でのカード２の移動速度とによって規定されるデータ周波数の帯域に含まれていても良い。
【００４０】
以上のように構成されたカードリーダ１では、カード挿入口３からカード２が挿入されてカードリーダ１の内部にカード２が取り込まれる際、および、カード挿入口３からカード２が排出される際に妨害磁界発生手段１０が妨害磁界を発生させる。すなわち、磁気ヘッド７による磁気データの読取時や記録時には、妨害磁界発生手段１０は妨害磁界を発生させていない。また、カード挿入口３からカード２が挿入されてカードリーダ１の内部にカード２が取り込まれる際には、たとえば、カード挿入口３から挿入されたカード２の全体がカード挿入部４の内部に取り込まれるまで、妨害磁界発生手段１０が妨害磁界を発生させる。また、カード挿入口３からカード２が排出される際には、たとえば、ユーザによるカード２の引抜きが可能となる位置まで搬送されたカード２がユーザによって引き抜かれるまで、妨害磁界発生手段１０が妨害磁界を発生させる。
【００４１】
（本形態の主な効果）
以上説明したように、本形態では、妨害磁界発生手段１０は、カード通過路６よりも下側に配置される第１妨害磁界発生部１１と、カード通過路６よりも上側に配置される第２妨害磁界発生部１２とを備えている。また、第１妨害磁界発生部１１のコア１４および第２妨害磁界発生部１２のコア１６は、左右方向から見たときに、第１仮想線Ｌ１と第２仮想線Ｌ２とが手前側に向かうにしたがって互いに近づくように前後方向に対して傾斜するとともに、カード挿入口３よりも手前側でかつカード通過路６よりも下側で交わるように配置されている。
【００４２】
そのため、本形態では、図１に示すように、カード挿入口３よりも手前側に、かつ、カード２が通過する部分に下側から臨むように配置されるスキミング用磁気ヘッド５１の磁気ギャップに対して、第２妨害磁界発生部１２が発生させる妨害磁界の影響を効率的に与えることが可能になる。また、本形態では、スキミング用磁気ヘッド５１のケース体の開口部に対して、第１妨害磁界発生部１１が発生させる妨害磁界の影響を効率的に与えることが可能になる。すなわち、磁性材料によって覆われていないスキミング用磁気ヘッド５１のコアやコイルに、ケース体の開口部を介して妨害磁界の影響を効率的に与えることが可能になる。このように、本形態では、スキミング用磁気ヘッド５１の磁気ギャップに対して妨害磁界の影響を効率的に与えることが可能になるとともに、磁性材料によって覆われていないスキミング用磁気ヘッド５１のコアやコイルに妨害磁界の影響を効率的に与えることが可能になる。したがって、本形態では、スキミング用磁気ヘッド５１に妨害磁界の影響をより効果的に与えることが可能になり、その結果、スキミング用磁気ヘッド５１による磁気データの有意な読取を阻止することが可能になる。
【００４３】
また、スキミング用磁気ヘッド５１は、左右方向において、磁気ストライプが通過する位置に配置されるが、本形態では、コア１４、１６の一端面１４ａ、１６ａが、左右方向において、カード２の磁気ストライプが通過する位置に配置されているため、スキミング用磁気ヘッド５１に妨害磁界の影響をより効果的に与えることが可能になる。
【００４４】
本形態では、第１妨害磁界発生部１１および第２妨害磁界発生部１２が発生させる妨害磁界の周波数は、カード２の磁気ストライプに記録された磁気データの記録密度とカードリーダ１でのカード２の移動速度とによって規定されるデータ周波数の帯域に含まれている。そのため、本形態では、スキミング用磁気ヘッド５１から出力される読取信号の中で、カード２の磁気データに起因する読取信号と妨害磁界に起因する読取信号とを区別しにくくなる。したがって、本形態では、スキミングを効果的に防止することが可能になる。
【００４５】
特に本形態では、第１妨害磁界発生部１１および第２妨害磁界発生部１２のいずれか一方が発生させる妨害磁界の周波数は、２１０ｂｐｉの記録密度とカードリーダ１でのカード２の移動速度とによって規定されるデータ周波数の帯域に含まれており、第１妨害磁界発生部１１および第２妨害磁界発生部１２のいずれか他方が発生させる妨害磁界の周波数は、７５ｂｐｉの記録密度とカードリーダ１でのカード２の移動速度とによって規定されるデータ周波数の帯域に含まれている。そのため、本形態では、スキミング用磁気ヘッド５１から出力される読取信号の中で、カード２の磁気データに起因する読取信号と妨害磁界に起因する読取信号とを区別することがより困難になる。したがって、本形態では、スキミングをより効果的に防止することが可能になる。
【００４６】
本形態では、駆動回路２０は、直流電源２１と、直流電源２１に対してコイル１５と並列に接続されるコンデンサ２２とを備えており、コイル１５とコンデンサ２２とによって共振回路が構成されている。また、コイル１７に電流を供給する駆動回路も、直流電源と、この直流電源に対してコイル１７と並列に接続されるコンデンサとを備えており、コイル１７とこのコンデンサとによって共振回路が構成されている。そのため、本形態では、消費電力を抑制しつつ、妨害磁界発生手段１０によって所定の周波数の交流磁界（妨害磁界）を発生させることが可能になる。
【００４７】
（妨害磁界発生装置の変形例１）
図３は、本発明の他の実施の形態にかかる妨害磁界発生手段１０を説明するための概略図である。上述した形態では、コア１４の一端面１４ａとコア１６の一端面１６ａとが前後方向において略同じ位置に配置され、上下方向における一端面１４ａとカード通過路６との距離と上下方向における一端面１６ａとカード通過路６との距離とが略等しくなるとともに、前後方向に対する第１仮想線Ｌ１の傾斜角度θ１が前後方向に対する第２仮想線Ｌ２の傾斜角度θ２よりも小さくなることで、左右方向から見たときに、第１仮想線Ｌ１と第２仮想線Ｌ２とがカード挿入口３よりも手前側でかつカード通過路６よりも下側で交わっている。この他にもたとえば、左右方向から見たときに、第１仮想線Ｌ１と第２仮想線Ｌ２とがカード挿入口３よりも手前側でかつカード通過路６よりも下側で交わるのであれば、一端面１４ａと一端面１６ａとが前後方向においてずれていても良いし、上下方向における一端面１４ａとカード通過路６との距離と上下方向における一端面１６ａとカード通過路６との距離とが異なっていても良いし、傾斜角度θ１と傾斜角度θ２とが略等しくなっていても良い。
【００４８】
すなわち、一端面１４ａと一端面１６ａとの前後方向における位置、上下方向における一端面１４ａとカード通過路６との距離と上下方向における一端面１６ａとカード通過路６との距離、および、傾斜角度θ１と傾斜角度θ２、のうちの少なくとも１つが異なることで、左右方向から見たときに、第１仮想線Ｌ１と第２仮想線Ｌ２とがカード挿入口３よりも手前側でかつカード通過路６よりも下側で交わっても良い。たとえば、図３に示すように、傾斜角度θ１と傾斜角度θ２とが略等しくなるとともに、一端面１４ａが一端面１６ａよりも前側に配置され、かつ、上下方向における一端面１４ａとカード通過路６との距離が上下方向における一端面１６ａとカード通過路６との距離よりも長くなることで、左右方向から見たときに、第１仮想線Ｌ１と第２仮想線Ｌ２とがカード挿入口３よりも手前側でかつカード通過路６よりも下側で交わっても良い。
【００４９】
この場合であっても、上述した形態と同様の効果を得ることができる。なお、上述した形態のように、一端面１４ａと一端面１６ａとが前後方向において略同じ位置に配置されるとともに、上下方向における一端面１４ａとカード通過路６との距離と上下方向における一端面１６ａとカード通過路６との距離とが略等しくなっていると、上下方向および前後方向でカードリーダ１を小型化することが可能になる。
【００５０】
（妨害磁界発生装置の変形例２）
図４は、本発明の他の実施の形態にかかる妨害磁界発生手段１０を説明するための概略図である。上述した形態では、カード２の裏面に磁気ストライプが形成されている。この他にもたとえば、カード２のおもて面に磁気ストライプが形成されても良い。この場合には、図４に示すように、カード挿入口３よりも手前側に、かつ、カード２が通過する部分に上側から臨むようにスキミング用磁気ヘッド５２が配置される。そのため、この場合には、第１妨害磁界発生部１１のコア１４および第２妨害磁界発生部１２のコア１６は、左右方向から見たときに、第１仮想線Ｌ１と第２仮想線Ｌ２とが手前側に向かうにしたがって互いに近づくように前後方向に対して傾斜するとともに、カード挿入口３よりも手前側でかつカード通過路６よりも上側で交わるように配置される。
【００５１】
たとえば、コア１４の一端面１４ａとコア１６の一端面１６ａとが前後方向において略同じ位置に配置され、上下方向における一端面１４ａとカード通過路６との距離と上下方向における一端面１６ａとカード通過路６との距離とが略等しくなるとともに、傾斜角度θ１が傾斜角度θ２よりも大きくなるように、コア１４、１６が配置される。この場合には、磁気ヘッド７は、カード通過路６に上側から臨むように配置されている。また、この場合には、ＪＩＳ規格に基づいて、カード２のおもて面の磁気ストライプに記録密度が２１０ｂｐｉの磁気データが記録されており、第１妨害磁界発生部１１および第２妨害磁界発生部１２が発生させる妨害磁界の周波数は、２１０ｂｐｉの記録密度とカードリーダ１でのカード２の移動速度とによって規定されるデータ周波数の帯域に含まれている。この場合であっても、上述した形態と同様の効果を得ることができる。
【００５２】
また、カード２の裏面とおもて面との両面に磁気ストライプが形成されても良い。この場合には、妨害磁界発生手段１０は、左右方向から見たときに第１仮想線Ｌ１と第２仮想線Ｌ２とがカード通過路６よりも下側で交わるように配置されるコア１４、１６を有する妨害磁界発生部組１３と、左右方向から見たときに第１仮想線Ｌ１と第２仮想線Ｌ２とがカード通過路６よりも上側で交わるように配置されるコア１４、１６を有する妨害磁界発生部組１３との２組の妨害磁界発生部組１３を備えていれば良い。
【００５３】
この場合には、第１仮想線Ｌ１と第２仮想線Ｌ２とがカード通過路６よりも下側で交わるように配置されるコア１４、１６を有する一方の妨害磁界発生部組１３が発生させる妨害磁界の周波数は、カード２の裏面の磁気ストライプに記録された磁気データの記録密度とカードリーダ１でのカード２の移動速度とによって規定されるデータ周波数の帯域に含まれ、第１仮想線Ｌ１と第２仮想線Ｌ２とがカード通過路６よりも上側で交わるように配置されるコア１４、１６を有する他方の妨害磁界発生部組１３が発生させる妨害磁界の周波数は、カード２のおもて面の磁気ストライプに記録された磁気データの記録密度とカードリーダ１でのカード２の移動速度とによって規定されるデータ周波数の帯域に含まれている。具体的には、カード２の裏面の磁気ストライプに、国際規格やＪＩＳ規格に基づいて、記録密度が２１０ｂｐｉの磁気データおよび記録密度が７５ｂｐｉの磁気データが記録され、カード２のおもて面の磁気ストライプに、ＪＩＳ規格に基づいて、記録密度が２１０ｂｐｉの磁気データが記録されているため、一方の妨害磁界発生部組１３が発生させる妨害磁界の周波数は、７５ｂｐｉの記録密度とカードリーダ１でのカード２の移動速度とによって規定されるデータ周波数の帯域に含まれ、他方の妨害磁界発生部組１３が発生させる妨害磁界の周波数は、２１０ｂｐｉの記録密度とカードリーダ１でのカード２の移動速度とによって規定されるデータ周波数の帯域に含まれている。
【００５４】
この場合には、カード２の裏面の磁気ストライプに記録された磁気データを不正に取得するスキミング用磁気ヘッド５１（図１参照）と、カード２のおもて面の磁気ストライプに記録された磁気データを不正に取得するスキミング用磁気ヘッド５２（図４参照）とが設置された場合であっても、両方のスキミング用磁気ヘッド５１、５２に妨害磁界の影響をより効果的に与えることが可能になる。また、この場合には、両方のスキミング用磁気ヘッド５１、５２から出力される読取信号の中で、カード２の磁気データに起因する読取信号と、妨害磁界に起因する読取信号とを区別しにくくなるため、スキミングを効果的に防止することが可能になる。なお、この場合には、カードリーダ１は、カード通過路６に下側から臨むように配置される磁気ヘッド７と、カード通過路６に上側から臨むように配置される磁気ヘッド７とを備えている。カード通過路６に下側から臨むように配置される磁気ヘッド７は、第１磁気ヘッドであり、カード通過路６に上側から臨むように配置される磁気ヘッド７は、第２磁気ヘッドである。
【００５５】
（妨害磁界発生装置の変形例３）
図５は、本発明の他の実施の形態にかかる妨害磁界発生手段１０を説明するための概略図である。上述した形態では、妨害磁界発生手段１０は、コア１４を有する第１妨害磁界発生部１１と、コア１４と別体で形成されたコア１６を有する第２妨害磁界発生部１２とからなる妨害磁界発生部組１３によって構成されている。この他にもたとえば、妨害磁界発生手段１０は、図５に示すように、磁性材料で形成される１個のコア３４と、コア３４に巻回される励磁用のコイル３５とによって構成されても良い。
【００５６】
コア３４は、左右方向から見たときの形状が略Ｃ形状または略Ｕ形状となる棒状に形成されている。このコア３４は、コア３４の一端面３４ａおよびコア３４の他端面３４ｂが略手前側を向くように配置されている。一端面３４ａは、上下方向においてカード通過路６よりも下側に配置され、他端面３４ｂは、上下方向においてカード通過路６よりも上側に配置されている。すなわち、一端面３４ａと他端面３４ｂとは、上下方向においてカード通過路６を挟むように配置されている。また、コア３４は、左右方向において、カード２の磁気ストライプが通過する位置に配置されており、一端面３４ａおよび他端面３４ｂは、左右方向において、カード２の磁気ストライプが通過する位置に配置されている。
【００５７】
一端面３４ａの中心を通過するとともに一端面３４ａに垂直な仮想線を第１仮想線Ｌ１１とし、他端面３４ｂの中心を通過するとともに他端面３４ｂに垂直な仮想線を第２仮想線Ｌ１２とすると、左右方向から見たときに、第１仮想線Ｌ１１と第２仮想線Ｌ１２とが手前側に向かうにしたがって互いに近づくように前後方向に対して傾斜するとともに、カード挿入口３よりも手前側でかつ上下方向においてカード２が通過する位置からずれた位置で互いに交わるように、コア３４が形成されている。具体的には、カード２の裏面に磁気ストライプが形成される場合には、図５に示すように、コア３４は、左右方向から見たときに、第１仮想線Ｌ１１と第２仮想線Ｌ１２とがカード通過路６よりも下側で交わるように形成されている。また、カード２のおもて面に磁気ストライプが形成される場合には、コア３４は、左右方向から見たときに、第１仮想線Ｌ１１と第２仮想線Ｌ１２とがカード通過路６よりも上側で交わるように形成されている。
【００５８】
たとえば、カード２の裏面に磁気ストライプが形成される場合には、一端面３４ａと他端面３４ｂとが前後方向において略同じ位置に配置され、上下方向における一端面３４ａとカード通過路６との距離と上下方向における他端面３４ｂとカード通過路６との距離とが略等しくなるとともに、前後方向に対する第１仮想線Ｌ１１の傾斜角度θ１１が前後方向に対する第２仮想線Ｌ１２の傾斜角度θ１２よりも小さくなることで、第１仮想線Ｌ１１と第２仮想線Ｌ１２とがカード通過路６よりも下側で交わっている。また、たとえば、カード２のおもて面に磁気ストライプが形成される場合には、一端面３４ａと他端面３４ｂとが前後方向において略同じ位置に配置され、上下方向における一端面３４ａとカード通過路６との距離と上下方向における他端面３４ｂとカード通過路６との距離とが略等しくなるとともに、傾斜角度θ１１が傾斜角度θ１２よりも大きくなることで、第１仮想線Ｌ１１と第２仮想線Ｌ１２とがカード通過路６よりも上側で交わっている。この変形例では、一端面３４ａは、コア３４の一方の端面である第１端面となっており、他端面３４ｂは、コアの３４の他方の端面である第２端面となっている。
【００５９】
コイル３５は、ボビンを介してコア３４に巻回されている。具体的には、コイル３５は、コア３４の中心軸が巻回の軸となるようにコア３４の外周面に巻回されている。このコイル３５は、駆動回路２０と同様に構成される駆動回路に接続されている。
【００６０】
この変形例においても、カード挿入口３よりも手前側にかつカード２が通過する部分に下側から臨むように配置されるスキミング用磁気ヘッド５１の磁気ギャップに対して、他端面３４ｂ側から発生する妨害磁界の影響を効率的に与えることが可能になるとともに、スキミング用磁気ヘッド５１のケース体の開口部に対して、一端面３４ａ側から発生する妨害磁界の影響を効率的に与えることが可能になる。あるいは、カード挿入口３よりも手前側にかつカード２が通過する部分に上側から臨むように配置されるスキミング用磁気ヘッド５２（図４参照）の磁気ギャップに対して、一端面３４ａ側から発生する妨害磁界の影響を効率的に与えることが可能になるとともに、スキミング用磁気ヘッド５２のケース体の開口部に対して、他端面３４ｂ側から発生する妨害磁界の影響を効率的に与えることが可能になる。そのため、この変形例においても、上述した形態と同様の効果を得ることができる。
【００６１】
また、カード２の裏面とおもて面との両面に磁気ストライプが形成される場合には、妨害磁界発生手段１０は、左右方向から見たときに第１仮想線Ｌ１１と第２仮想線Ｌ１２とがカード通過路６よりも下側で交わるように配置されるコア３４とこのコア３４に巻回されるコイル３５とを有する第１妨害磁界発生部と、左右方向から見たときに第１仮想線Ｌ１１と第２仮想線Ｌ１２とがカード通過路６よりも上側で交わるように配置されるコア３４とこのコア３４に巻回されるコイル３５とを有する第２妨害磁界発生部とを備えていれば良い。なお、カード２の裏面とおもて面との両面に磁気ストライプが形成される場合に、妨害磁界発生手段１０は、たとえば、左右方向から見たときに第１仮想線Ｌ１と第２仮想線Ｌ２とがカード通過路６よりも下側で交わるように配置されるコア１４、１６を有する妨害磁界発生部組１３と、左右方向から見たときに第１仮想線Ｌ１１と第２仮想線Ｌ１２とがカード通過路６よりも上側で交わるように配置されるコア３４とこのコア３４に巻回されるコイル３５とを有する第２妨害磁界発生部とを備えていても良い。
【００６２】
（他の実施の形態）
上述した形態および変形例は、本発明の好適な形態の一例ではあるが、これに限定されるものではなく本発明の要旨を変更しない範囲において種々変形実施が可能である。
【００６３】
上述した形態では、コア１４の一端面１４ａおよびコア１６の一端面１６ａは、左右方向において、カード２の磁気ストライプが通過する位置に配置されている。この他にもたとえば、一端面１４ａ、１６ａから発生する妨害磁界の影響をスキミング用磁気ヘッド５１に効果的に与えることができるのであれば、一端面１４ａ、１６ａは、左右方向において、カード２の磁気ストライプが通過する位置からずれていても良い。
【００６４】
上述した形態では、カードリーダ１は、駆動ローラ８およびパッドローラ９を備えるカード搬送式のカードリーダであるが、本発明の構成が適用されるカードリーダは、ユーザが手動でカード２を移動させながら、磁気データの読取や記録を行う手動式のカードリーダであっても良い。たとえば、本発明の構成が適用されるカードリーダは、カードリーダ内へカード２を差し込む際、あるいは、カードリーダからカード２を引き抜く際に磁気データの読取や記録を行ういわゆるディップ式のカードリーダであっても良い。
【符号の説明】
【００６５】
１  カードリーダ
２  カード
３  カード挿入口
６  カード通過路
７  磁気ヘッド
１０  妨害磁界発生手段
１１  第１妨害磁界発生部
１２  第２妨害磁界発生部
１３  妨害磁界発生部組
１４  コア（第１コア）
１４ａ  一端面（第１端面）
１５、１７、３５  コイル
１６  コア（第２コア）
１６ａ  一端面（第２端面）
２０  駆動回路
２１  直流電源
２２  コンデンサ
３４  コア
３４ａ  一端面（第１端面）
３４ｂ  他端面（第２端面）
Ｌ１、Ｌ１１  第１仮想線
Ｌ２、Ｌ１２  第２仮想線
Ｘ  カードの通過方向
Ｘ１  奥側（カードの挿入方向側）
Ｘ２  手前側（カードの排出方向側）
Ｙ  カードの幅方向
Ｚ  カードの厚さ方向
Ｚ１  第２方向側
Ｚ２  第１方向側
θ１、θ１１  カードの通過方向に対する第１仮想線の傾斜角度
θ２、θ１２  カードの通過方向に対する第２仮想線の傾斜角度
【図１】
2015158717.tif 000003
【図２】
2015158717.tif 000004
【図３】
2015158717.tif 000005
【図４】
2015158717.tif 000006
【図５】
2015158717.tif 000007
【図６】
2015158717.tif 000008
【図７】
2015158717.tif 000009